(57)【要約】  【課題】便器を伝う尿漏れの吸収対策を講じた床部分マットを提供する。  【解決手段】トイレ床マットの上に便器に密着させて取り付けて尿を吸収する尿吸収床部分マットであって、馬蹄形の表面パーツＡと裏面パーツＢの間に内部挿入芯パーツＤを挿入して周囲を接合する。ロープ芯パーツＥの回りをロープ外被パーツＣでくるんでロープ状に形成した尿吸収ロープ帯Ｌを表面パーツＡの内周縁に沿ってその上面に取り付けるとともに、裏面パーツＢの両端付近にトイレ床マットＦに着脱するためのスナップＩを設けたものである。そして、上記それぞれのパーツが尿吸収性のよいマイクロファイバーなどの化学繊維を素材として作られている。  【選択図】図１
0003186933.tif 000002
【実用新案登録請求の範囲】
【請求項１】
トイレ床マットの上に便器に密着させて取り付けて尿を吸収する尿吸収床部分マットであって、馬蹄形の表面パーツと裏面パーツの間に内部挿入芯パーツを挿入して周囲を接合し、ロープ芯パーツの回りをロープ外被パーツでくるんでロープ状に形成した尿吸収ロープ帯を前記表面パーツの内周縁に沿ってその上面に取り付けるとともに、前記裏面パーツの両端付近に前記トイレ床マットに着脱するための着脱部を設けた尿吸収床部分マット。
【請求項２】
マイクロファイバーなどの化学繊維を使用した尿吸収素材で構成された請求項１に記載の尿吸収床部分マット。
【請求項３】
前記着脱部は、前記尿吸収ロープ帯と便器との隙間を調整できるように構成された請求項１または請求項２に記載の尿吸収床部分マット。
【請求項４】
前記表面パーツと前記裏面パーツとを、外周に沿って装飾パーツを挟みこんで接合した請求項１〜３のいずれか１項に記載の尿吸収床部分マット。
【考案の詳細な説明】
【技術分野】
【０００１】
本考案は、尿吸収対策を講じてトイレ床マットの上に取り付ける尿吸収床部分マットに関するものである。
【背景技術】
【０００２】
従来のトイレマットでは、床の接地面が便器の形状とトイレマットの形状が合致せず隙間が生じている。さらにトイレマットの裏面に伝う尿の吸収対策が全くされていない為、便器から伝う尿が床を汚し不快なトイレ環境になっている。これを解決する方法を考案する必要がある。本考案はそれに対応する考案である。
【先行技術文献】
【特許文献】
【０００３】
【特許文献１】特開２００４−１６３０１号公報
【考案の概要】
【考案が解決しようとする課題】
【０００４】
本考案は、以下の２点を解決するためのものである。
１．現状のトイレマットの形状を補完するものを作成する。
２．マットに吸収性の高い素材を活用し、床漏れ防止機能を向上させる。
【課題を解決するための手段】
【０００５】
上記課題を解決するために本考案の尿吸収床部分マットは、トイレ床マットの上に便器に密着させて取り付けて尿を吸収する尿吸収床部分マットであって、馬蹄形の表面パーツと裏面パーツの間に内部挿入芯パーツを挿入して周囲を接合し、ロープ芯パーツの回りをロープ外被パーツでくるんでロープ状に形成した尿吸収ロープ帯を前記表面パーツの内周縁に沿ってその上面に取り付けるとともに、前記裏面パーツの両端付近に前記トイレ床マットに着脱するための着脱部を設けたものである。そして、上記それぞれのパーツが尿吸収性のよいマイクロファイバーなどの化学繊維を素材として作られている。
これにより、便器とトイレ床マットの隙間が埋まり、トイレ床マットに伝う尿を吸収し、床を汚すことを防ぎ、床の黄ばみなどトイレ使用時の不快感を解消できる。
【考案の効果】
【０００６】
本考案の尿吸収床部分マットによれば、便器と床マットの隙間が埋まり、床マットに伝う尿を吸収し、床を汚すことを防ぎ、床の黄ばみなどトイレ使用時の不快感を解消できる。
【図面の簡単な説明】
【０００７】
【図１】パーツをつなぎ合わせた状態の尿吸収床部分マットの断面図
【図２】尿吸収床部分マットのパーツ図
【図３】尿吸収床部分マットの尿吸収ロープ帯の断面図
【図４】尿吸収床部分マット裏面の平面図
【図５】尿吸収床部分マットの裏面と既存のトイレ床マットの取付箇所表示図
【図６】尿吸収床部分マットの表面立体図
【図７】考案した尿吸収床部分マットを便器に装着した状態を側面から見た図
【図８】考案した尿吸収床部分マットを便器に装着した状態を正面からみた図
【考案を実施するための形態】
【０００８】
本考案に係る尿吸収床部分マットの実施形態を図１〜８を用いて説明する。
従来のトイレ床マットは便器の形状を重視した製品ではないために、設置した場合に便器とトイレ床マットの間に隙間が生じる。またトイレ床マット自体に尿吸収対策が全くほどこされていない。
本考案の尿吸収床部分マットは、従来のトイレ床マットに取り付けることにより、便器を伝う尿漏れの吸収と不快な使用感を解消する目的で、その表面、裏面、ロープ部にマイクロファイバーなどの化学繊維を使用している。
【０００９】
次に本考案の実施形態を図面に基づいて説明する。
【００１０】
図１は、図２のパーツを立体形にした断面図である。馬蹄形の表面パーツAと裏面パーツBの間に内部挿入芯パーツDを挿入して周囲を縫い合わせ（接合し）、ロープ芯パーツEの回りをロープ外被パーツCでくるんでロープ状に形成した尿吸収ロープ帯Lを表面パーツAの内周縁に沿ってその上面に取り付けている。また、裏面パーツBの両端（馬蹄形の両先端）付近にトイレ床マットFに着脱するためのスナップI（着脱部）を設けたものである。そして、上記それぞれのパーツが尿吸収性のよいマイクロファイバーなどの化学繊維を素材として作られている。それによりトイレ床マットFと便器Kの隙間をなくすることができ、漏れた尿の吸収効果を高めることを考慮したものである。
【００１１】
図２は、尿吸収床部分マットの各パーツの平面図である。各パーツは尿吸収を考慮し素
材にマイクロファイバーなど化学繊維を使用している。使用素材は便器に伝う尿の吸収効率もよく、尿を吸収した尿吸収床部分マットは、従来のトイレ床マットFから取り外して容易に洗濯ができ清潔感を保つことができる。
【００１２】
Aは、尿吸収床部分マットの表面パーツである。Ｂは、尿吸収床部分マットの裏面パー
ツである。表面パーツAと裏面パーツＢを取付ける際に内側に内部挿入芯パーツDを芯として挿入する。尿吸収ロープ帯Ｌは便器Kとトイレ床マットFとの隙間からの尿漏れを防ぐものである。尿吸収ロープ帯Ｌは、馬蹄形の表面パーツＡの内周縁に沿ってその上面に盛り上げて縫い付けて、便器Kとトイレ床マットFとの隙間をなくす働きと便器からもれた尿で床を汚さないための働きをする。
【００１３】
内部挿入芯パーツＤは馬蹄形の表面パーツAと裏面パーツＢを接合した間に挿み込むパーツである。表面パーツＡと裏面パーツＢの間に内部挿入芯パーツＤを挿入後、更に、表面パーツＡと裏面パーツＢの外周に飾り布でできた装飾パーツＧ，Ｈを挟み込んでもよい。装飾パーツＧ，Ｈを用いるのは、従来のトイレ床マットＦと本考案の尿吸収床部分マットを取付けた際に目立たなくする目的と装飾性を考慮したものである。
【００１４】
図３は、図２のロープ芯パーツＥをロープ状にしたものを芯にしてロープ外被パーツＣでくるんだ尿吸収ロープ帯Ｌの断面図である。
【００１５】
図４は、本考案の尿吸収床部分マットを裏面から見た図である。各パーツの取付け状態を表現するものである。表面パーツAと裏面パーツＢの周囲を縫い合わせ、内部に芯地として内部挿入芯パーツＤを挿入することで、尿吸収の強化をはかった。
馬蹄形の表面パーツＡの内周縁に沿ってその上面に、丸めてロープ状にしたロープ芯パーツＥをロープ外被パーツＣでくるんで作った状態を図示したものである。外回りは装飾の加工した装飾パーツＧ，Ｈを取り付けたもので、機能とは関係ないものである。
【００１６】
既存のトイレ床マットＦとの取り付け部には尿吸収床部分マット側に着脱用のスナップＩを取り付けている。着脱部がスナップの場合は複数取り付けることで、便器Ｋの形状に合わせて便器Ｋとの隙間を調整可能にしている。それにより尿漏れ吸収の精度を上げることができる。
【００１７】
図５は、既存のトイレ床マットＦに尿吸収床部分マットの裏面の取付け箇所を示した図である。裏面パーツＢと既存のトイレ床マットＦとを取り付ける箇所を示した図である。着脱部にはスナップＪが使用されているが、既存のトイレ床マットＦの状況を考慮し、マジックテープ（登録商標）などを用いてもよい。
【００１８】
図６は、考案した尿吸収床部分マットの表面立体図である。既存床マットＦと違和感なく取り付けが可能である。
図７は、考案した尿吸収床部分マットを装着した状態を側面から見た図である。尿吸収ロープ帯Ｌが便器Ｋの後方までしっかりと密着して、尿漏れを防止している。
図８は、考案した尿吸収床部分マットを便器Ｋに装着した状態を正面から見た図である。便器Ｋにぴったりと密着し、既存のトイレ床マットＦとも違和感なく取り付けられている。
なお、尿吸収床部分マットは、トイレ床マットＦの上に取り付けず、直接床の上に便器Ｋに密着させて置いてもよい。
また、尿吸収ロープ帯Ｌはロープ芯パーツＥをロープ外被パーツＣでくるむ構成ではなく、ロープ芯パーツＥとロープ外被パーツＣとを一体で構成してもよい。
【符号の説明】
【００１９】
A  表面パーツ、B  裏面パーツ、C  ロープ外被パーツ、D  内部挿入芯パーツ、
E  ロープ芯パーツ 、Ｆ  トイレ床マット、Ｇ，Ｈ  装飾パーツ、
Ｉ  裏面パーツ側のスナップ（着脱部）、Ｊ  トイレ床マット側のスナップ（着脱部）、
Ｋ  便器、Ｌ  尿吸収ロープ帯
【図１】
0003186933.tif 000003
【図２】
0003186933.tif 000004
【図３】
0003186933.tif 000005
【図４】
0003186933.tif 000006
【図５】
0003186933.tif 000007
【図６】
0003186933.tif 000008
【図７】
0003186933.tif 000009
【図８】
0003186933.tif 000010